(57)【要約】【課題】板金の曲げ加工により天板の稜線部や頂部に丸みをもたせて薬品等物品収納箱を持ち運ぶ際、作業者の手に馴染みやすく、持ち運びを容易にする。天板には隙間ができないようにして塵埃が薬品等物品収納箱内に侵入するのを防止する。【解決手段】天板４の前後左右の各辺に垂設した各垂下部４ａ・４ｂ・４ｃ・４ｄと同天板４とをそれぞれ円弧板部４１・４２・４３・４４を介して連続させて一体に形成する。各垂下部４ａ・４ｂ・４ｃ・４ｄのうち、隣り合う垂下部同士を、それぞれ円弧板部４６・４７・４８・４９を介して連続させて一体に形成する。さらに、各頂部１１・１２・１３・１４において集合する垂下部と天板４と円弧板部とを、部分球殻を介して連続させて一体に形成する。【選択図】図７
0003162068.tif 000002
【実用新案登録請求の範囲】
【請求項１】
略六面体形状の板金製の薬品等物品収納箱であって、
左右の側板(２１)・(２２)と、背板(２３)と、正面開口部(２４)とを備えた箱本体(２)と、
上記箱本体(２)の正面開口部(２４)に抜き差し自在に取り付けられた引出し(３)と、
上記箱本体(２)の上部開口を塞ぐべく箱本体(２)に外嵌して固定された天板(４)と、
上記箱本体(２)の下部開口を塞ぐべく箱本体(２)に固定された底板(５)と、
を備えた、板金製の薬品等物品収納箱において、
上記天板(４)が前下がり状に傾斜し、
上記天板(４)の前後左右の各辺にそれぞれ垂下部(４ａ)・(４ｂ)・(４ｃ)・(４ｄ)を垂設し、
上記前側垂下部(４ａ)と天板(４)とを前側円弧板部(４１)を介して連続させて一体に形成し、
上記後側垂下部(４ｂ)と天板(４)とを後側円弧板部(４２)を介して連続させて一体に形成し、
上記左側垂下部(４ｃ)と天板(４)とを左側円弧板部(４３)を介して連続させて一体に形成し、
上記右側垂下部(４ｄ)と天板(４)とを右側円弧板部(４４)を介して連続させて一体に形成し、
上記の右側垂下部(４ｄ)と前側垂下部(４ａ)とを右前側円弧板部(４６)を介して連続させて一体に形成し、
上記の右側垂下部(４ｄ)と後側垂下部(４ｂ)とを右後側円弧板部(４７)を介して連続させて一体に形成し、
上記の左側垂下部(４ｃ)と前側垂下部(４ａ)とを左前側円弧板部(４８)を介して連続させて一体に形成し、
上記の左側垂下部(４ｃ)と後側垂下部(４ｂ)とを左後側円弧板部(４９)を介して連続させて一体に形成し、
上記前側垂下部(４ａ)・右側垂下部(４ｄ)・天板(４)・前側円弧板部(４１)・右側円弧板部(４４)および右前側円弧板部(４６)を、これらが集合する右前側頂部(１１)において部分球殻を介して連続させて一体に形成し、
上記前側垂下部(４ａ)・左側垂下部(４ｃ)・天板(４)・前側円弧板部(４１)・左側円弧板部(４３)および左前側円弧板部(４８)を、これらが集合する左前側頂部(１２)において部分球殻を介して連続させて一体に形成し、
上記後側垂下部(４ｂ)・右側垂下部(４ｄ)・天板(４)・後側円弧板部(４２)・右側円弧板部(４４)および右後側円弧板部(４７)を、これらが集合する右後側頂部(１３)において部分球殻を介して連続させて一体に形成し、
上記後側垂下部(４ｂ)・左側垂下部(４ｃ)・天板(４)・後側円弧板部(４２)・左側円弧板部(４３)および左後側円弧板部(４９)を、これらが集合する左後側頂部(１４)において部分球殻を介して連続させて一体に形成したことを特徴とする、板金製の薬品等物品収納箱。
【請求項２】
請求項１に記載の板金製の薬品等物品収納箱において、
前記天板(４)の前後左右の各垂下部(４ａ)・(４ｂ)・(４ｃ)・(４ｄ)の下縁(３４)・(３５)・(３６)・(３７)をほぼ同一水平面上に位置するように形成し、
前記箱本体(２)の左右の各側板(２１)・(２２)の上縁(２１ａ)・(２２ａ)と背板(２３)の上縁(２３ａ)とをほぼ同一水平面上に位置するように形成したことを特徴とする、板金製の薬品等物品収納箱。
【請求項３】
請求項１または２に記載の板金製の薬品等物品収納箱において、
前記底板(５)の前後左右の各辺にそれぞれ起立部(５ａ)・(５ｂ)・(５ｃ)・(５ｄ)を立設し、
上記前側起立部(５ａ)と底板(５)とを前側円弧板部(５１)を介して連続させて一体に形成し、
上記後側起立部(５ｂ)と底板(５)とを後側円弧板部(５２)を介して連続させて一体に形成し、
上記左側起立部(５ｃ)と底板(５)とを左側円弧板部(５３)を介して連続させて一体に形成し、
上記右側起立部(５ｄ)と底板(５)とを右側円弧板部(５４)を介して連続させて一体に形成し、
上記の右側起立部(５ｄ)と前側起立部(５ａ)とを右前側円弧板部(５６)を介して連続させて一体に形成し、
上記の右側起立部(５ｄ)と後側起立部(５ｂ)とを右後側円弧板部(５７)を介して連続させて一体に形成し、
上記の左側起立部(５ｃ)と前側起立部(５ａ)とを左前側円弧板部(５８)を介して連続させて一体に形成し、
上記の左側起立部(５ｃ)と後側起立部(５ｂ)とを左後側円弧板部(５９)を介して連続させて一体に形成し、
上記前側起立部(５ａ)・右側起立部(５ｄ)・底板(５)・前側円弧板部(５１)・右側円弧板部(５４)および右前側円弧板部(５６)を、これらが集合する右前側頂部(１５)において部分球殻を介して連続させて一体に形成し、
上記前側起立部(５ａ)・左側起立部(５ｃ)・底板(５)・前側円弧板部(５１)・左側円弧板部(５３)および左前側円弧板部(５８)を、これらが集合する左前側頂部(１６)において部分球殻を介して連続させて一体に形成し、
上記後側起立部(５ｂ)・右側起立部(５ｄ)・底板(５)・後側円弧板部(５２)・右側円弧板部(５４)および右後側円弧板部(５７)を、これらが集合する右後側頂部(１７)において部分球殻を介して連続させて一体に形成し、
上記後側起立部(５ｂ)・左側起立部(５ｃ)・底板(５)・後側円弧板部(５２)・左側円弧板部(５３)および左後側円弧板部(５９)を、これらが集合する左後側頂部(１８)において部分球殻を介して連続させて一体に形成し、
上記底板(５)を前記箱本体(２)に内嵌して固定するとともに、左右の側板(２１)・(２２)の下縁(２１ｂ)・(２２ｂ)と背板(２３)の下縁(２３ｂ)とが上記底板(５)の接地面(６５)よりも上方に位置するようにしたことを特徴とする、板金製の薬品等物品収納箱。
【考案の詳細な説明】
【技術分野】
【０００１】
本考案は、一般家庭において、常備薬、包帯やガーゼ等の衛生品、体温計、その他の小物などを収納する板金製の薬品等物品収納箱に関する。
【背景技術】
【０００２】
従来、薬品等物品収納箱として、例えば、上面が開口された箱本体と、箱本体の上部に開閉自在に取り付けられた開閉蓋とを備えている（例えば、特許文献１，２参照。）。
【０００３】
かかる従来の薬品等物品収納箱は、製造コストを下げるため、箱本体はもちろん、開閉蓋も板金で曲げ加工することがある。
【先行技術文献】
【特許文献】
【０００４】
【特許文献１】特開２００２−３６０６６２号公報
【特許文献２】特開２００７−７３６５号公報
【考案の概要】
【考案が解決しようとする課題】
【０００５】
しかしながら、箱本体や開閉蓋を曲げ加工により製造した場合には、隣接する曲げしろと曲げしろとの間に隙間ができるという問題があった。このような隙間は、見た目の印象が悪いだけでなく、ここから塵埃等の侵入を招いて薬品等収容物品を不衛生にするおそれがあった。
【０００６】
また、曲げ加工により箱本体や開閉蓋を製造した場合、箱本体や開閉蓋の稜線部や頂部が尖った形状となるため、薬品等物品収納箱を手で持ち運ぶ際に、手袋の繊維が引っ掛かったり、手に馴染みにくくなったりするという問題もあった。
【０００７】
一方、かかる課題を解決するものとして合成樹脂製の薬品等物品収納箱も存在する（特許文献２参照）。しかし、合成樹脂製の薬品等物品収納箱は、そりや退色等の経年劣化が激しいという問題があり、また、製造コストの面でも板金製のものに劣っていた。さらに、ダイオキシン類からなる合成樹脂製のものでは焼却の際に不完全燃焼のときダイオキシンが発生するという環境汚染の問題もあった。
【０００８】
本考案は上記課題を解決するためになされたものであり、その目的とするところは、板金の曲げ加工により箱本体を製造する場合にも、箱本体に生じる隙間をなくして薬品等物品収納箱内への塵埃等の侵入を防止して薬品等物品を衛生的に収納保管できる薬品等物品収納箱を提供することにある。
【課題を解決するための手段】
【０００９】
請求項１に係る考案は、略六面体形状の板金製の薬品等物品収納箱であって、左右の側板(２１)・(２２)と、背板(２３)と、正面開口部(２４)とを備えた箱本体(２)と、上記箱本体(２)の正面開口部(２４)に抜き差し自在に取り付けられた引出し(３)と、上記箱本体(２)の上部開口を塞ぐべく箱本体(２)に外嵌して固定された天板(４)と、上記箱本体(２)の下部開口を塞ぐべく箱本体(２)に固定された底板(５)と、を備えた板金製の薬品等物品収納箱において、次のように構成したことを特徴とする。
【００１０】
すなわち、上記天板(４)が前下がり状に傾斜している。上記天板(４)の前後左右の各辺にそれぞれ垂下部(４ａ)・(４ｂ)・(４ｃ)・(４ｄ)を垂設する。そして、上記前側垂下部(４ａ)と天板(４)とを前側円弧板部(４１)を介して連続させて一体に形成する。上記後側垂下部(４ｂ)と天板(４)とを後側円弧板部(４２)を介して連続させて一体に形成する。上記左側垂下部(４ｃ)と天板(４)とを左側円弧板部(４３)を介して連続させて一体に形成する。上記右側垂下部(４ｄ)と天板(４)とを右側円弧板部(４４)を介して連続させて一体に形成する。
【００１１】
また、上記の右側垂下部(４ｄ)と前側垂下部(４ａ)とを右前側円弧板部(４６)を介して連続させて一体に形成する。上記の右側垂下部(４ｄ)と後側垂下部(４ｂ)とを右後側円弧板部(４７)を介して連続させて一体に形成する。上記の左側垂下部(４ｃ)と前側垂下部(４ａ)とを左前側円弧板部(４８)を介して連続させて一体に形成する。上記の左側垂下部(４ｃ)と後側垂下部(４ｂ)とを左後側円弧板部(４９)を介して連続させて一体に形成する。
【００１２】
さらに、上記前側垂下部(４ａ)・右側垂下部(４ｄ)・天板(４)・前側円弧板部(４１)・右側円弧板部(４４)および右前側円弧板部(４６)を、これらが集合する右前側頂部(１１)において部分球殻を介して連続させて一体に形成する。上記前側垂下部(４ａ)・左側垂下部(４ｃ)・天板(４)・前側円弧板部(４１)・左側円弧板部(４３)および左前側円弧板部(４８)を、これらが集合する左前側頂部(１２)において部分球殻を介して連続させて一体に形成する。上記後側垂下部(４ｂ)・右側垂下部(４ｄ)・天板(４)・後側円弧板部(４２)・右側円弧板部(４４)および右後側円弧板部(４７)を、これらが集合する右後側頂部(13)において部分球殻を介して連続させて一体に形成する。上記後側垂下部(４ｂ)・左側垂下部(４ｃ)・天板(４)・後側円弧板部(４２)・左側円弧板部(４３)および左後側円弧板部(４９)を、これらが集合する左後側頂部(１４)において部分球殻を介して連続させて一体に形成する。
【００１３】
請求項２に記載の考案は、請求項１に記載の板金製の薬品等物品収納箱において、
前記天板(４)の前後左右の各垂下部(４ａ)・(４ｂ)・(４ｃ)・(４ｄ)の下縁(３４)・(３５)・(３６)・(３７)をほぼ同一水平面上に位置するように形成し、
前記箱本体(２)の左右の各側板(２１)・(２２)の上縁(２１ａ)・(２２ａ)と背板(２３)の上縁(２３ａ)とをほぼ同一水平面上に位置するように形成した、ことを特徴とする。
【００１４】
請求項３に記載の考案は、請求項１または２に記載の板金製の薬品等物品収納箱において、以下のように構成したことを特徴とする。
すなわち、前記底板(５)の前後左右の各辺にそれぞれ起立部(５ａ)・(５ｂ)・(５ｃ)・(５ｄ)を立設する。そして、上記前側起立部(５ａ)と底板(５)とを前側円弧板部(５１)を介して連続させて一体に形成する。上記後側起立部(５ｂ)と底板(５)とを後側円弧板部(５２)を介して連続させて一体に形成する。上記左側起立部(５ｃ)と底板(５)とを左側円弧板部(５３)を介して連続させて一体に形成する。上記右側起立部(５ｄ)と底板(５)とを右側円弧板部(５４)を介して連続させて一体に形成する。
【００１５】
また、上記の右側起立部(５ｄ)と前側起立部(５ａ)とを右前側円弧板部(５６)を介して連続させて一体に形成する。上記の右側起立部(５ｄ)と後側起立部(５ｂ)とを右後側円弧板部(５７)を介して連続させて一体に形成する。上記の左側起立部(５ｃ)と前側起立部(５ａ)とを左前側円弧板部(５８)を介して連続させて一体に形成する。上記の左側起立部(５ｃ)と後側起立部(５ｂ)とを左後側円弧板部(５９)を介して連続させて一体に形成する。
【００１６】
さらに、上記前側起立部(５ａ)・右側起立部(５ｄ)・底板(５)・前側円弧板部(５１)・右側円弧板部(５４)および右前側円弧板部(５６)を、これらが集合する右前側頂部(１５)において部分球殻を介して連続させて一体に形成する。上記前側起立部(５ａ)・左側起立部(５ｃ)・底板(５)・前側円弧板部(５１)・左側円弧板部(５３)および左前側円弧板部(５８)を、これらが集合する左前側頂部(１６)において部分球殻を介して連続させて一体に形成する。上記後側起立部(５ｂ)・右側起立部(５ｄ)・底板(５)・後側円弧板部(５２)・右側円弧板部(５４)および右後側円弧板部(５７)を、これらが集合する右後側頂部(１７)において部分球殻を介して連続させて一体に形成する。上記後側起立部(５ｂ)・左側起立部(５ｃ)・底板(５)・後側円弧板部(５２)・左側円弧板部(５３)および左後側円弧板部(５９)を、これらが集合する左後側頂部(１８)において部分球殻を介して連続させて一体に形成する。そして、上記底板(５)を前記箱本体(２)に内嵌して固定するとともに、左右の側板(２１)・(２２)の下縁(２１ｂ)・(２２ｂ)と背板(２３)の下縁(２３ｂ)とが上記底板(５)の接地面(６５)よりも上方に位置するようにする。
【考案の効果】
【００１７】
請求項１記載の考案によれば、この薬品等物品収納箱が、販売員が消費者の家庭を訪問し、医薬品の入った薬箱を配置する配置箱として使用される場合も、天板(４)が前下がり状に傾斜しているので、この上に他の配置箱を重ねても滑って積み重ねることができない。したがって、既に契約に基づいて或る配置販売業者によって配置箱が置かれているにもかかわらず、別の配置販売業者が、その上に別の配置箱を重ねて置くという行為を予防できる。
【００１８】
また、天板(４)の稜線部や頂部に丸みをもたせることができるので、薬品等物品収納箱を持ち運ぶ際、作業者の手に馴染みやすく、持ち運び作業が容易になる。また、手袋等の繊維が引っ掛かるおそれもない。
【００１９】
天板(４)には、曲げ加工によって形成したときのような隙間ができないので塵埃が薬品等物品収納箱内に侵入することを防止することができる。このため、薬品等物品収納箱の外観が改善されるだけでなく、薬品等を衛生的に収納保管できる。
【００２０】
請求項２記載の考案によれば、天板(４)の前後左右の各垂下部(４ａ)・(４ｂ)・(４ｃ)・(４ｄ)の下縁(３４)・(３５)・(３６)・(３７)をほぼ同一水平面上に位置するように形成するとともに、箱本体(２)の左右の各側板(２１)・(２２)の上縁(２１ａ)・(２２ａ)と背板(２３)の上縁(２３ａ)とをほぼ同一水平面上に位置するように形成したので、箱本体(２)用のブランクをせん断加工する際に生じるロスを少なくすることができる。これにより、歩留りを向上させ、薬品等物品収納箱全体の材料費を節約することができる。
【００２１】
請求項３記載の考案によれば、天板(４)だけでなく底板(５)の各頂部にも丸みをもたせることができるので、薬品等物品収納箱の持ち運びの際に手に馴染む個所が増え、さらに持ち運び作業が容易になる。
【図面の簡単な説明】
【００２２】
【図１】本考案の実施形態に係る薬品等物品収納箱の前方左斜め上方からみた外観斜視図である。
【図２】同薬品等物品収納箱の箱本体、天板、底板、および引出しを前方斜め上方からみた斜視図である。
【図３】同薬品等物品収納箱の正面図である。
【図４】同薬品等物品収納箱の背面図である。
【図５】同薬品等物品収納箱の左側面図である。
【図６】同薬品等物品収納箱の右側面図である。
【図７】（Ａ）は同薬品等物品収納箱の天板の平面図、(Ｂ)はその側面図である。
【図８】（Ａ）は同薬品等物品収納箱の底板の平面図、(Ｂ)はその側面図である。
【図９】同薬品等物品収納箱の箱本体、天板、および底板の縦断側面図である。
【考案を実施するための形態】
【００２３】
以下、本考案の実施形態について図面に基づいて説明する。
【００２４】
図１、図２に示すように、本考案の実施形態に係る板金製の薬品等物品収納箱１は、全体が略六面体形状をなしており、箱本体２と、引出し３と、天板４、および底板５とを備える。
【００２５】
図２に示すように、箱本体２は板金製のブランクから曲げ加工によって形成され、左右の側板２１・２２と背板２３と、上下２段の引出し３を抜き差しする正面開口部２４、上部開口、および下部開口とを備える。図３〜図６・図９に示すように、箱本体２の左右の各側板２１・２２の上縁２１ａ・２２ａと背板２３の上縁２３ａとは、ほぼ同一水平面上に位置するように形成されている。箱本体２の四つの稜線部２７にはそれぞれ丸みがつけられている。なお、板金の材料としては、鉄板製またはステンレス製が好ましい。
【００２６】
図２に示すように、引出し３も板金で上面が開口された箱形状に形成されており、上段の引出し３は箱本体２の内部の上下方向中間部に敷設した棚板３１上に載置され、その棚板３１に設けられた左右のガイドレール３１ａ・３１ｂに沿って引き出し自在に支持される。下段の引出し３は箱本体２の下部に設けられた左右のガイドレール２６ａ・２６ｂに沿って引き出し自在に支持される。上下２段の各引出し３の前面には把手３２が取り付けられている。
【００２７】
図１、図３〜図６、図７(Ａ)（Ｂ）に示すように、天板４は、板金製のブランクから絞り加工によって形成され、箱本体２の上部開口を塞ぐべく取り付けたときに前下がり状に傾斜するようになっている。この天板４の前後左右の各辺にはそれぞれ垂下部４ａ・４ｂ・４ｃ・４ｄが形成されている。
【００２８】
これら前後左右の垂下部４ａ・４ｂ・４ｃ・４ｄのうち、前側垂下部４ａと天板４とは前側円弧板部４１を介して連続させて一体に形成される。後側垂下部４ｂと天板４とは後側円弧板部４２を介して連続させて一体に形成される。左側垂下部４ｃと天板４とは左側円弧板部４３を介して連続させて一体に形成される。右側垂下部４ｄと天板４とは右側円弧板部４４を介して連続させて一体に形成される。
【００２９】
また、右側垂下部４ｄと前側垂下部４ａとは右前側円弧板部４６を介して連続させて一体に形成される。右側垂下部４ｄと後側垂下部４ｂとは右後側円弧板部４７を介して連続させて一体に形成される。左側垂下部４ｃと前側垂下部４ａとは左前側円弧板部４８を介して連続させて一体に形成される。左側垂下部４ｃと後側垂下部４ｂとは左後側円弧板部４９を介して連続させて一体に形成される。
【００３０】
さらに、前側垂下部４ａ・右側垂下部４ｄ・天板４・前側円弧板部４１・右側円弧板部４４および右前側円弧板部４６は、これらが集合する右前側頂部１１において部分球殻を介して連続させて一体に形成される。前側垂下部４ａ・左側垂下部４ｃ・天板４・前側円弧板部４１・左側円弧板部４３および左前側円弧板部４８は、これらが集合する左前側頂部１２において部分球殻を介して連続させて一体に形成される。後側垂下部４ｂ・右側垂下部４ｄ・天板４・後側円弧板部４２・右側円弧板部４４および右後側円弧板部４７は、これらが集合する右後側頂部１３において部分球殻を介して連続させて一体に形成される。後側垂下部４ｂ・左側垂下部４ｃ・天板４・後側円弧板部４２・左側円弧板部４３および左後側円弧板部４９は、これらが集合する左後側頂部１４において部分球殻を介して連続させて一体に形成される。
【００３１】
このように構成される結果、天板４の稜線部や頂部に丸みをもたせることができ、薬品等物品収納箱１を持ち運ぶ際、作業者の手に馴染みやすく、持ち運び作業が容易になる。また、手袋等の繊維が引っ掛かるおそれもない。さらに、曲げ加工によって形成したときのような隙間が天板４にできないので塵埃等の侵入を防止することができる。このため、薬品等物品収納箱１の外観が改善されるだけでなく、薬品等物品を衛生的に収納保管することができる。なお、図７中、符号６６は、天板４を箱本体２に取り付けたときに正面開口部２４の上縁を形成する鍔部である。
【００３２】
かかる天板４は、箱本体２の上部開口を塞ぐべく箱本体２に外嵌したうえで溶接して固定される。また、天板４の前後左右の各垂下部４ａ・４ｂ・４ｃ・４ｄの下縁３４・３５・３６・３７は、ほぼ同一水平面上に位置するように形成されている。このため、箱本体２の左右の各側板２１・２２の上縁２１ａ・２２ａと背板２３の上縁２３ａとをほぼ同一水平面上に位置するように形成したことと相俟って、箱本体２用のブランクをせん断加工する際に生じるロスを少なくすることができ、薬品等物品収納箱１全体の材料費を節約することができる。
【００３３】
図２、図８、図９に示すように、底板５は、板金製のブランクから絞り加工によって形成される。この底板５の前後左右の各辺にはそれぞれ起立部５ａ・５ｂ・５ｃ・５ｄが立設されている。
【００３４】
これら前後左右の起立部５ａ・５ｂ・５ｃ・５ｄのうち、前側起立部５ａと底板５とは前側円弧板部５１を介して連続させて一体に形成される。後側起立部５ｂと底板５とは後側円弧板部５２を介して連続させて一体に形成される。左側起立部５ｃと底板５とは左側円弧板部５３を介して連続させて一体に形成される。右側起立部５ｄと底板５とは右側円弧板部５４を介して連続させて一体に形成される。
【００３５】
また、右側起立部５ｄと前側起立部５ａとは右前側円弧板部５６を介して連続させて一体に形成される。右側起立部５ｄと後側起立部５ｂとは右後側円弧板部５７を介して連続させて一体に形成される。左側起立部５ｃと前側起立部５ａとは左前側円弧板部５８を介して連続させて一体に形成される。左側起立部５ｃと後側起立部５ｂとは左後側円弧板部５９を介して連続させて一体に形成される。
【００３６】
さらに、前側起立部５ａ・右側起立部５ｄ・底板５・前側円弧板部５１・右側円弧板部５４および右前側円弧板部５６は、これらが集合する右前側頂部１５（図８（Ｂ），図９参照）において部分球殻を介して連続させて一体に形成される。前側起立部５ａ・左側起立部５ｃ・底板５・前側円弧板部５１・左側円弧板部５３および左前側円弧板部５８は、これらが集合する左前側頂部１６（図５，図６参照）において部分球殻を介して連続させて一体に形成される。後側起立部５ｂ・右側起立部５ｄ・底板５・後側円弧板部５２・右側円弧板部５４および右後側円弧板部５７は、これらが集合する右後側頂部１７（図８（Ｂ），図９参照）において部分球殻を介して連続させて一体に形成される。後側起立部５ｂ・左側起立部５ｃ・底板５・後側円弧板部５２・左側円弧板部５３および左後側円弧板部５９は、これらが集合する左後側頂部１８（図５，図６参照）において部分球殻を介して連続させて一体に形成される。そして、この底板５は、箱本体２の下部開口を塞ぐべく箱本体２に内嵌したうえで溶接により固定される。その際、左右の側板２１・２２の下縁２１ｂ・２２ｂと背板２３の下縁２３ｂとが上記底板５の接地面６５よりも上方に位置するようにして、同底板５の各頂部１５・１６・１７・１８の部分球殻が外部に露出するようにしてある。
【００３７】
かかる構成により、天板４だけでなく底板５の各頂部にも丸みをもたせることができ、薬品等物品収納箱１の持ち運びの際に手に馴染む個所が増え、持ち運び作業が容易になる。なお、図２、図８及び図９中の符号６７は、底板５を箱本体２に取り付けたときに正面開口部２４の下縁を形成する鍔部である。
【００３８】
上記底板５には上げ底部６１が一体に形成されている。このように底板５に上げ底部６１を形成したので、底板５の剛性が増し、底板５が平らな場合よりも重量大なる薬品等物品を載せることができる。
【００３９】
本考案は上記実施形態に限定されるものではない。例えば、引出し３は、上下２段に代えて、単一の引出しとすること、上下３段以上にすることは任意である。また、引出し３の前面に内部を透視可能な窓部を設け、薬品等物品が収納されているか否かを外部から確認できるようにしてもよい。
【符号の説明】
【００４０】
２…箱本体、３…引出し、４…天板、４ａ…天板の前側垂下部、４ｂ…天板の後側垂下部、４ｃ…天板の左側垂下部、４ｄ…天板の右側垂下部、５…底板、５ａ…底板の前側起立部、５ｂ…底板の後側起立部、５ｃ…底板の左側起立部、５ｄ…底板の右側起立部、１１…天板の右前側頂部、１２…天板の左前側頂部、１３…天板の右後側頂部、１４…天板の左後側頂部、１５…底板の右前側頂部、１６…底板の左前側頂部、１７…底板の右後側頂部、１８…底板の左後側頂部、２１…左側板、２１ａ…左側板の上縁、２１ｂ…左側板の下縁、２２…右側板、２２ａ…右側板の上縁、２２ｂ…右側板の下縁、２３…背板、２３ａ…背板の上縁、２３ｂ…背板の下縁、２４…正面開口部、３４…天板の前側垂下部の下縁、３５…天板の後側垂下部の下縁、３６…天板の左側垂下部の下縁、３７…天板の右側垂下部の下縁、４１…天板の前側円弧板部、４２…天板の後側円弧板部、４３…天板の左側円弧板部、４４…天板の右側円弧板部、４６…天板の右前側円弧板部、４７…天板の右後側円弧板部、４８…天板の左前側円弧板部、４９…天板の左後側円弧板部、５１…底板の前側円弧板部、５２…底板の後側円弧板部、５３…底板の左側円弧板部、５４…底板の右側円弧板部、５６…底板の右前側円弧板部、５７…底板の右後側円弧板部、５８…底板の左前側円弧板部、５９…底板の左後側円弧板部、６５…底板の接地面。
【図１】
0003162068.tif 000003
【図２】
0003162068.tif 000004
【図３】
0003162068.tif 000005
【図４】
0003162068.tif 000006
【図５】
0003162068.tif 000007
【図６】
0003162068.tif 000008
【図７】
0003162068.tif 000009
【図８】
0003162068.tif 000010
【図９】
0003162068.tif 000011